(57)【要約】請求された主題は、認証、認可中に無線端末にホーム・エージェントを割り当てること、および/または無線端末に関して課金することに関係がある。無線端末は基地局経由でＡＡＡサーバに中継することができる識別するしるしを提供することができる。次に、ＡＡＡサーバは無線端末と関連され得る１つ以上のホーム・エージェントを決定することができる。１つ以上のホーム・エージェントが無線端末に割り当てられることができれば、基地局は無線端末の登録中にどのホーム・エージェントを利用するべきであるか決定することができる。そのような決定はＭＶＮＯに関して重要になり得る。【選択図】      図３
2009533980.tif 000002
【特許請求の範囲】
【請求項１】
ホーム・エージェントを用いて無線端末を登録する方法であって、
無線端末がネットワークへのアクセスを要求する場合に、無線端末から識別するしるしを受信すること、
ＡＡＡサーバに識別するしるしを供給すること、
ＡＡＡサーバから少なくとも１つのホーム・エージェントの識別を受信すること、
無線端末から識別されたホーム・エージェントへ登録情報をルート設定することを含む方法。
【請求項２】
請求項１の方法を行なうように構成された基地局。
【請求項３】
識別されたホーム・エージェントへのＭＩＰトンネルを作成することをさらに含む請求項１の方法。
【請求項４】
識別されたホーム・エージェントは、ＡＡＡサーバに供給される識別するしるしに関連したネットワークの識別によって決定される請求項１の方法。
【請求項５】
識別されたホーム・エージェントは、ＡＡＡサーバに供給される識別するしるしに関連したＭＶＮＯとＶＰＮのうちの１つの識別によって決定される請求項１の方法。
【請求項６】
受信された識別がホスト名であり、ホスト名を１つ以上のＩＰアドレスへ解決することをさらに含む請求項１の方法。
【請求項７】
ホスト名を解決することはＤＮＳに関して引き受けられる請求項６の方法。
【請求項８】
ホスト名を解決することはローカルに遂行される請求項６の方法。
【請求項９】
複数のホーム・エージェントのリストを受信すること、
ホーム・エージェントのリストの中から１つのホーム・エージェントを選択し、選択されたホーム・エージェントへ登録情報をルート設定することをさらに含む請求項１の方法。
【請求項１０】
リストは順序づけられたリストである請求項９の方法。
【請求項１１】
ＭＭＰの利用によってホーム・エージェントを用いて無線端末を登録することをさらに含む請求項１の方法。
【請求項１２】
無線端末がネットワークへアクセスを要求する場合に、無線端末から識別するしるしを受信すること、
ＡＡＡサーバに識別するしるしを供給すること、
ＡＡＡサーバから少なくとも１つのホーム・エージェントの識別を受信すること、
無線端末から識別されたホーム・エージェントへ登録情報をルート設定することの命令を保持するメモリと、
命令を実行するプロセッサとを含む基地局。
【請求項１３】
ＡＡＡサーバはＭＶＮＯ特有のＡＡＡサーバである請求項１２の基地局。
【請求項１４】
ＡＡＡサーバから加入者と関連したプロファイルを受信する手段であって、プロファイルは加入者に関連したＭＶＮＯに割り当てられるホーム・エージェントの識別を含んでいる手段と、
移動ＩＰトンネルを識別されたホーム・エージェントに作成する手段とを含む通信装置。
【請求項１５】
基地局である請求項１４の通信装置。
【請求項１６】
ＩＰに基づいたセルラシステムの中で作動するように構成された請求項１４の通信装置。
【請求項１７】
識別されたホーム・エージェントへ加入者の登録要求をルート設定する手段さらに含む請求項１４の通信装置。
【請求項１８】
加入者に関連した識別するしるしを受信すること、
ＡＡＡサーバに識別するしるしを供給すること、
加入者に割り当てられたプロファイルを受信することであって、プロファイルは加入者に関連したＭＶＮＯに割り当てられる１つ以上のホーム・エージェントを含んでいること、
１つ以上のホーム・エージェントから１つのホーム・エージェントを選択すること、
加入者から選択されたホーム・エージェントへ登録情報をルート設定すること、に関する機械実行可能な命令を記憶した機械可読媒体。
【請求項１９】
請求項１８の機械可読媒体を含む基地局。
【請求項２０】
ＡＡＡサーバから加入者に関連したプロファイルを受信することであって、プロファイルは加入者に関連したＭＶＮＯに割り当てられるホーム・エージェントの識別を含んでいること、
識別されたホーム・エージェントへ移動ＩＰトンネルを作成すること、の命令を実行するプロセッサ。
【請求項２１】
識別されたホーム・エージェントへの登録要求をルート設定すること、の命令を実行するようにさらに構成された請求項２０のプロセッサ。
【請求項２２】
無線端末に関連させるように１つ以上のホーム・エージェントを決定する方法であって、
無線端末に関連した識別するしるしを受信すること、
識別するしるしに少なくとも一部分基づいた無線端末を用いて連合可能な少なくとも１つのホーム・エージェントを決定すること、
無線端末に通信的に接続された基地局に少なくとも１つのホーム・エージェントの識別を供給することを含む方法。
【請求項２３】
請求項２２の方法を行なうように構成されたＡＡＡサーバ。
【請求項２４】
識別するしるしに少なくとも一部分基づいた無線端末に関連したＭＶＮＯを決定すること、
ＭＶＮＯに割り当てられた少なくとも１つのホーム・エージェントを決定すること、
少なくとも１つのホーム・エージェントの識別を基地局に供給すること、をさらに含む請求項２２の方法。
【請求項２５】
無線端末に関連したプロファイルを作成すること、
プロファイル内のホーム・エージェントの識別をカプセルに入れること、
基地局にプロファイルを供給すること、をさらに含む請求項２２の方法。
【請求項２６】
基地局に供給される識別がホスト名である請求項２２の方法。
【請求項２７】
無線端末に関連した識別するしるしを受信すること、
識別するしるしに少なくとも一部分基づいた無線端末を用いて連合可能な少なくとも１つのホーム・エージェントを決定すること、
無線端末に通信的に接続された基地局に少なくとも１つのホーム・エージェントの識別を供給すること、の命令を含んでいるメモリ、
命令を実行するプロセッサを含むＡＡＡサーバ。
【請求項２８】
加入者に通信的に接続された基地局から加入者と関係した識別するしるしを受信する手段、
識別するしるしに少なくとも一部分基づいた加入者に関連したネットワークを識別する手段、
ネットワークに割り当てられた少なくとも１つのホーム・エージェントを決定する手段、
加入者によって利用された無線端末の登録に利用するため加入者に少なくとも１つのホーム・エージェントを割り当てる手段とを含むＡＡＡサーバ。
【請求項２９】
識別するしるしがＮＡＩである請求項２８のＡＡＡサーバ。
【請求項３０】
ネットワークがＭＶＮＯとＶＰＮのうちの１つである請求項２８のＡＡＡサーバ。
【請求項３１】
加入者に通信的に接続された基地局から加入者と関係した識別するしるしを受信すること、
識別するしるしに少なくとも一部分基づいた加入者に関連したＭＶＮＯを識別すること、
ＭＶＮＯに割り当てられた少なくとも１つのホーム・エージェントを決定すること、
加入者によって利用された無線端末の登録に利用するため加入者に少なくとも１つのホーム・エージェントを割り当てること、の機械実行可能な命令を記憶した機械可読媒体。
【請求項３２】
ＩＰに基づいた無線ネットワークへのアクセスを要求している加入者のＮＡＩを受信すること、
受信されたＮＡＩに少なくとも一部分基づいた加入者に関連したネットワークを決定すること、
ネットワークに割り当てられた少なくとも１つのホーム・エージェントを決定すること、
少なくとも１つのホーム・エージェントに加入者を関連させること、
基地局へ関連を中継すること、の命令を実行するプロセッサ。
【請求項３３】
ネットワークがＭＶＮＯとＶＰＮのうちの１つである請求項３２のプロセッサ。
【発明の詳細な説明】
【発明の分野】
【０００１】
関連する出願への相互参照
この出願は、２００６年４月１４日に申請され、「ＭＥＴＨＯＤＳ  ＡＮＤ  ＡＰＰＡＲＡＴＵＳ  ＦＯＲ  ＳＵＰＰＯＲＴＩＮＧ  ＭＯＢＩＬＥ  ＶＩＲＴＵＡＬ  ＮＥＴＷＯＲＫ」と題する、米国仮特許出願第６０／７９２，０１７の利益を要求する。この出願の全体は、引用文献としてここに組込まれる。
【０００２】
以下の記述は、一般に通信システムに係り、なお特に、無線端末の登録に関して利用するためにホーム・エージェントを選択することに関する。
【発明の背景】
【０００３】
無線ネットワーキングシステムは他のものと世界的に通信する普及している手段になった。携帯電話、携帯情報端末およびその他同種のもののような無線通信装置は、消費者ニーズにあい、かつポータビリティと便宜を改善するためにより小さく、より強力になった。消費者は、信頼できるサービス、拡張された報道範囲、追加サービス（例えばウェブ・ブラウジング能力）および装置の寸法およびコストの継続的な縮小を要求して、これらの装置に依存するようになった。
【０００４】
典型的な無線通信ネットワーク（例えば使用する周波数、時間および符号分割技術）は、送信することができる移動（例えば無線）装置、およびカバレージエリア内の受信データと同様に加入者にカバレージエリアを供給する１つ以上の基地局を含んでいる。典型的な基地局は、放送、マルチキャストおよび/またはユニキャスト・サービスのための多数の装置へ多数のデータ・ストリームを同時に送信することができ、そこではデータ・ストリームは、ユーザ装置への独立した受信興味がありうるデータの流れである。その基地局のカバレージエリア内のユーザ装置は、合成ストリームにより搬送される１つ、１つ以上またはすべてのデータ・ストリームを受信することに興味を持っているかもしれない。同様に、ユーザ装置は基地局あるいは別のユーザ装置へデータを送信することができる。
【０００５】
無線ネットワーク内で無線デバイスが通信することを可能にするため、そこで関連するそのような装置あるいはホストが構成されなくてはならず、それは移動度管理を促進するエンティティーにより無線デバイスを登録することを含む。従来のセルラシステムにおいて、公衆交換データネットワーク（ＰＳＤＮ）は、エンティティーが無線デバイスに関連されるべきであることを決めるために利用される。１つ以上の移動仮想ネットワークオペレータ（ＭＶＮＯ）がネットワークインフラストラクチャをリースしている場合、各ＭＶＮＯが移動度管理サーバと望ましいように関連付けられることができるので、これは重要になり得る。したがって、無線端末は、無線デバイスを利用する加入者を「所有する」ＭＶＮＯにリースされるか関連づけられる移動度管理サーバに関係されるべきである。再び、通常これは、従来のネットワークでＩＰのための最初の接続ポイントであるＰＳＤＮで遂行される。しかしながら、ＩＰ接続がネットワークの周囲で生じることを可能にする時間を越えてネットワークが適合するとき、どの移動度管理サーバが無線端末と関連するかを決める新しい方法が必要になる。
【発明の開示】
【発明の概要】
【０００６】
下記は請求された主題のいくつかの態様の基本的理解を提供するために単純化された要約を示す。この要約は広範囲な概観でなく、キー／重大なエレメントを識別するかあるいは請求された主題の範囲を定めるようには意図されない。その唯一の目的は、後で示されるより詳細な説明に前置きとして単純化された形式でいくつかの概念を提示することである。
【０００７】
請求された主題は、認証、認可中に無線端末にホーム・エージェントを割り当て、および/または無線端末に関して説明することに関係がある。無線端末は基地局経由でＡＡＡサーバに中継することができるしるしを識別することを提供することができる。その後、ＡＡＡサーバは、無線端末と関連付けることができる１つ以上のホーム・エージェントを決定することができる。１つ以上のホーム・エージェントが無線端末に割り当てることができれば、基地局は無線端末の登録中にどのホーム・エージェントを利用するか決定することができる。そのような決定はＭＶＮＯに関して重要になり得る。
【０００８】
態様では、ホーム・エージェントにより無線端末を登録する方法がここに記述され、方法は、無線端末がネットワークへのアクセスを要求する場合、無線端末から識別するしるしを受信し、ＡＡＡサーバに識別するしるしを供給することを含む。方法はさらにＡＡＡサーバから少なくとも１つのホーム・エージェントの識別を受信し、無線端末から識別されたホーム・エージェントへ登録情報をルート設定することを含む。
【０００９】
基地局がまた以下に示される。基地局は、無線端末がネットワークへのアクセスを要求する場合、無線端末から識別するしるしを受け取り、ＡＡＡサーバに識別するしるしを供給するための命令を保持するメモリを含む。メモリはさらにＡＡＡサーバから少なくとも１つのホーム・エージェントの識別を受信し、無線端末から識別されたホーム・エージェントへ登録情報をルート設定するための命令を含んでいる。基地局は、命令を実行するプロセッサをさらに含むことができる。
【００１０】
まだ別の態様では、通信装置は、ＡＡＡサーバから加入者に関連したプロファイルを受信する手段を含むことができ、プロファイルは、加入者に関連したＭＶＮＯに割り当てられるホーム・エージェントの識別、および識別されたホーム・エージェントへの移動ＩＰトンネルを作成する手段を含んでいる。さらに、機械可読媒体は、加入者に関連した識別するしるしを受信し、ＡＡＡサーバに識別するしるしを供給し、加入者に割り当てられたプロファイルを受信する機械実行可能な命令をその上に記憶することができ、プロファイルは、加入者に関連したＭＶＮＯに割り当てられる１つ以上のホーム・エージェントを含んでいる。機械可読媒体は、１つ以上のホーム・エージェントから１つのホーム・エージェントを選択し、加入者から選択されたホーム・エージェントへ登録情報をルート設定するための命令をさらに保持することができる。
【００１１】
まだ別の態様では、プロセッサはＡＡＡサーバから加入者に関連したプロファイルを受信するための命令を実行するように構成することができ、プロファイルは、加入者に関連したＭＶＮＯに割り当てられるホーム・エージェントの識別を含む。プロセッサはまた、識別されたホーム・エージェントへの移動ＩＰトンネルを作成するための命令を実行するように構成することができる。
【００１２】
さらに、無線端末と関連する１つ以上のホーム・エージェントを決定する方法が以下に示され、方法は、無線端末に関係した識別するしるしを受信し、識別するしるしに少なくとも一部分基づいて無線端末と連合可能である少なくとも１つのホーム・エージェントを決定し、無線端末と通信的に接続される基地局へ少なくとも１つのホーム・エージェントの識別を提供することを含む。さらに、ＡＡＡサーバがここに記述され、サーバは、無線端末に関連した識別するしるしを受信し、識別するしるしに少なくとも一部分基づいて無線端末と連合可能な少なくとも１つのホーム・エージェントを決定し、無線端末と通信的に接続される基地局に少なくとも１つのホーム・エージェントの識別を供給するための命令を含んでいるメモリを含む。ＡＡＡサーバは、さらに命令を実行するプロセッサを含むことができる。
【００１３】
別の態様に従って、ＡＡＡサーバは、加入者に通信的に接続された基地局から加入者と関係する識別するしるしを受信する手段と、識別するしるしに少なくとも一部分基づいて加入者に関連したネットワークを識別する手段とを含むことができる。さらに、ＡＡＡサーバは、ネットワークに割り当てられた少なくとも１つのホーム・エージェントを決定する手段、および加入者によって利用された無線端末の登録で利用のために加入者に少なくとも１つのホーム・エージェントを割り当てる手段を含むことができる。
【００１４】
まだ別の態様に従って、機械可読媒体がここに記述され、機械可読媒体は、加入者に通信的に接続された基地局から加入者と関係する識別するしるしを受信し、識別するしるしに少なくとも一部分基づいて加入者に関連したＭＶＮＯを識別する記憶された命令を有する。機械可読媒体内の命令はまた、ＭＶＮＯに割り当てられた少なくとも１つのホーム・エージェントを決定し、加入者によって利用された無線端末の登録で利用のために加入者に少なくとも１つのホーム・エージェントを割り当てることを含むことができる。さらに、プロセッサが考慮され、プロセッサはＩＰベースの無線ネットワークへアクセスを要求している加入者のＮＡＩを受信し、受信されたＮＡＩに少なくとも一部分基づいて加入者と関連したネットワークを決定し、ネットワークに割り当てられた少なくとも１つのホーム・エージェントを決定し、少なくとも１つのホーム・エージェントと加入者を関連付け、基地局へ関連を中継する命令を実行するように構成される。
【００１５】
先のおよび関連づけられた目的を達成するために、ある実例となる態様が次の記述および付加された図面に関してここに記述される。しかしながら、これらの態様は、請求された主題の原則が使用される様々な方法のいくつかを示し、請求された主題はそのような態様およびそれらの等価物をすべて含むように意図される。図面と共に考慮された時、他の利点および新規な特徴が次の詳述から明白になる。
【詳細な説明】
【００１６】
請求された主題は、今図面に関して記述され、同様な参照数字が同様な要素を通して引用するように使用される。次の記述では、説明の目的のために、多数の特定の詳細が請求された主題についての完全な理解を提供するために述べられる。しかし、そのような主題がこれらの特定の詳細なしで実行され得ることは明らかである。他の例において、よく知られた構造および装置が請求された主題について記述することを促進するためにブロック図の形で示される。
【００１７】
さらに、種々の態様が端末に関してここに記述される。端末はまた、システム、ユーザ装置、安全なディジタル・カード（ＳＤカード）、加入者ユニット、加入者局、移動局、移動装置、遠隔局、遠隔端末、アクセス端末、ユーザ端末、ユーザエージェントあるいはユーザ設備と呼ぶことができる。ユーザ装置は、携帯電話、コードレス電話、セッション開始プロトコル（ＳＩＰ）電話、無線ローカル・ループ（ＷＬＬ）局、ＰＤＡ、無線接続能力があるハンドヘルド装置、端末内のモジュールあるいは無線モデムに接続された他の処理装置になり得る。
【００１８】
さらに、請求された主題の態様は、請求された主題の種々の態様を実施するコンピュータまたは計算構成要素を制御するため、ソフトウェア、ファームウェア、ハードウェアあるいはそれの任意の組合せを生産する標準プログラミング、および/またはエンジニアリング技術を使用する方法、装置あるいは製品として実施され得る。ここに使用される用語「製品」は、任意のコンピュータ読取り可能な装置、担体あるいは媒体からアクセス可能なコンピュータプログラムを包含するように意図される。例えば、コンピュータ読取り可能な媒体は、限定する訳ではないが、磁気記憶装置（例えばハードディスク、フロッピー（登録商標）ディスク、磁気ストリップ・・・）、光ディスク（例えばコンパクトディスク（ＣＤ）、ディジタルバーサタイルディスク（ＤＶＤ）・・・）、スマート・カードおよびフラッシュメモリ装置（例えば、カード、スチック、キードライブ・・・）を含むことができる。さらに、搬送波が、ボイス・メールを送信および受信し、またはセルラ・ネットワークのようなネットワークにアクセスするのに使用されるようなコンピュータが読取り可能な電子データを運ぶために使用することができることは、認識されるべきである。もちろん、技術に熟練している人々は、ここに記述される範囲または精神から逸脱することなく多くの変形がこの構成に成されることを認識するだろう。
【００１９】
今図１を参照すると、システム１００は、ホーム・エージェントにより無線端末を登録することに関して無線端末に関連した幾つかのホーム・エージェントのうちの１つの選択を例証するために示される。例において、システム１００は、ＦＬＡＳＨ  ＯＦＤＭに関して利用することができるもののようなセルラ型ＩＰシステムであり得る。システム１００は携帯電話、ＰＣＭＣＩＡカード、メモリーカード、携帯情報端末および/または同様なものであり得る無線端末１０２を含んでいる。無線端末１０２は、無線端末１０２と基地局１０４の間の大気を通してデータを送信することができるような基地局１０４と関連付けることができる。そのような通信を可能にするために、無線端末１０２と基地局１０４の間の１つ以上のリンクが作成されおよび構成される必要があり、構成は、ホーム・エージェントに関して無線端末１０２を登録することによって得ることができるＩＰアドレスでホスト装置（示されない）を供給することを含んでいる。
【００２０】
いくつかの例では、加入者（例えば、無線端末１０２の所有者／ユーザ）は、移動体仮想ネットワークオペレータ（ＭＶＮＯ）、仮想プライベート・ネットワーク（ＶＰＮ）あるいは他の適切なネットワークのような特別のネットワークによってサービスを供給することができ、したがって特別のネットワークに割り当てられるホーム・エージェントにより登録されるべきである。例えば、ＭＶＮＯは典型的にネットワークインフラストラクチャをリースし、ＭＶＮＯに関連した加入者にサービスを提供するためにそのようなインフラストラクチャを利用する。無線端末１０２が電力オンまたはネットワーク（例えば基地局１０４の範囲内）に最初に入るとき、認証／認可／課金手続きが、ネットワークに関連したサービスへアクセスすることを無線端末１０２に可能にする前に着手される。その目的のために、無線端末１０２は基地局１０４へ識別するしるしを提供することができ、次にＡＡＡサーバ１０６へのそのようなしるしを中継することができる。別の例において、基地局１０４は、無線端末１０２によって提供される識別するしるしに基づいて加入者の特別の識別を解決し、そのような識別をＡＡＡサーバ１０６に送信することができる。加入者の識別の解決にふさわしいどんな方法も発明者によって考慮され、ここに添付された請求項の範囲に入るように意図されることが理解される。無線端末によって提供される識別するしるしは、例えばネットワーク・アクセス識別子（ＮＡＩ）、国際移動加入者識別（ＩＭＳＩ）あるいは他の適切な識別するしるしであるかもしれない。
【００２１】
そのような識別するしるしに基づいて、ＡＡＡサーバ１０６は複数のホーム・エージェントの中から１つのホーム・エージェントを決定し、登録中に無線端末１０２に関連させることができる。例において、ＡＡＡサーバ１０６は、ユーザのＮＡＩ（例えば、ｕｓｅｒｎｕｍｂｅｒ＠ｒｅａｌｍ．ｃｏｍ）の「領域」に特有のホーム・エージェント・アドレス（例えば、ＩＰアドレス）を返すことができる。別の例において、ＡＡＡサーバ１０６は、通信的に索引データベースに接続することができ、識別するしるしを与えられたそのような索引の調査に基づいてホーム・エージェント・アドレスを決定することができる。まだ別の例において、基地局１０４は、無線端末（およびホーム・エージェントに関連したアドレス）に割り当てられるべきであるホーム・エージェントを決定するために十分な知能を含むことができる。
【００２２】
まださらに、無線端末１０２に関連したプロファイルは、ＡＡＡサーバ１０６内に存在することができ、また、そのようなプロファイルは適切なホーム・エージェントあるいはホスト名のアドレスを含むことができる。例えば、ＡＡＡサーバ１０６はＡＡＡホーム・エージェント・ホスト名を返すことができ、基地局１０４はドメインネームサーバ（ＤＮＳ）１０８におけるそのようなホスト名を解決することができる。さらに、プロファイルはネットワーク（例えばＭＶＮＯ）−基地局１０４に供給することができるホーム・エージェント・ホスト名識別子を含むことができ、および基地局１０４は、ＤＮＳ１０８、あるいは他の適切なデータベースによって、構内接続経由で１つ以上のＩＰアドレスへそのようなホスト名を解決することができる。
【００２３】
システム１００はＮホーム・エージェント１１０−１１４を含むことができ、そのようなホーム・エージェント１１０−１１４の１つ以上が複数のネットワーク１１６−１２０中からネットワークと関連付けることができ、ネットワーク１１６−１２０はＭＶＮＯ、ＶＰＮおよび他の適切なネットワークを含むことができ、そのような各ネットワークが他のものから独立して作動することができる（例えば、異なる管理上の領域、アドレス空間の再使用・・・）。したがって、多数のホーム・エージェントは単一のネットワークに関連付けられ、および/または割り当てることができる。例えば、ホーム・エージェント１１０はネットワーク１１６と関連付けることができ、ホーム・エージェント１１２はネットワーク１１８と関連付けることができ、ホーム・エージェント１１４はネットワーク１２０と関連付けることができる、など。例えば、ホーム・エージェントとネットワークの間の関連性は、ホーム・エージェントがＴ１、ＡＴＭ、イーサネット（登録商標）などのような通信リンク経由でネットワークに直接接続されることを意味することができる。さらにあるいは代わりに、ホーム・エージェントは、ホーム・エージェントとネットワーク（例えば、ＭＰＬＳ、ＩＰｉｎＩＰ、ＧＲＥ、・・・）の間で確立されたトンネルの利用によってネットワークに直接接続することができる。
【００２４】
ホーム・エージェントは１つ以上の無線端末に関して移動度管理を行なうために利用することができる。特に、ホーム・エージェントはアタッチメント（例えば、基地局１０４）の現在の点経由で無線端末１０２へ、および無線端末１０２からパケットをトンネルするルータになり得る。認証、認可および/または課金中に無線端末１０２によって提供される識別するしるしに基づいて、ホーム・エージェント１１０−１１４の１つについてホーム・エージェント・アドレスあるいはホスト名が、例えばＡＡＡサーバ１０６によって識別され、基地局１０４に供給され得る。無線端末１０２の登録中に、基地局１０４は、無線端末１０２（あるいはそれと関連するホスト）が識別されたホーム・エージェントからＩＰ構成情報を要求すべきであることを示すことができる。したがって、基地局１０４は正確なホーム・エージェントにトンネル（例えば、移動ＩＰトンネル）を構築することができる。
【００２５】
ＡＡＡサーバ１０６および/または基地局１０４は、様々な方法／メカニズムによって無線端末１０２と関連するため、適切なホーム・エージェントを決定することができる。例えば、無線端末１０２を利用する加入者は、幾つかのホーム・エージェント経由でアクセスすることができるＭＶＮＯと関連付けられ、ＡＡＡサーバ１０６は、そのようなホーム・エージェントのうちの１つを選択することができる。例えば、選択は地理的な位置（例えば、無線端末１０２へ地理的に最も近いホーム・エージェント）に基づいてなされることができる。別の例において、ＡＡＡサーバ１０６がＭＶＮＯに関連した第１のホーム・エージェントに第１の無線端末を関連させれば、ＡＡＡサーバがＭＶＮＯに関連した第２のホーム・エージェントと第２の無線端末を関連付けるだろうというように、選択は順序づけられたリストに基づいてなされてもよい。さらにあるいは代わりに、ＡＡＡサーバ１０６は、無線端末１０６に関してホームアドレスを選択するために加重されたリストを利用することができる。例えば、第１のホーム・エージェントが第２のホーム・エージェントより大きなリソースと関連付けられれば、無線端末が大量のリソースに関連したホーム・エージェントに割り当てられることはありそうである。
【００２６】
特別の例が特別のホーム・エージェントの選択についてよりよく記述するために続く。無線端末１０２はネットワーク１１６によって提供されるサービスを予約するユーザと関連付けることができる。無線端末１０２がネットワークに接続する場合、それはＡＡＡサーバ１０６で認証を経験する。ＡＡＡサーバ１０６は、無線端末１０２に関連した識別するしるしを受信することができ、基地局１０４にホーム・エージェント１１０（それはネットワーク１１６に割り当てられる）のアドレスかホスト名を返すことができる。基地局１０４は、無線端末１０２をネットワーク１１６に接続するため、トンネル（例えば、移動ＩＰを使用して）を設定するホーム・エージェントに対する知識を持っている。例えば、基地局１０４はＤＮＳ１０８の利用によってホーム・エージェント１１０のＩＰアドレスに対するホスト名を解決することができる。
【００２７】
今図２を参照すると、無線端末の登録に関して利用するため、ホーム・エージェントを決めることに関するプロキシの使用を例証するために使用されるシステム２００が示される。システム２００は、基地局２０４経由でネットワークに入る無線端末２０２を含んでいる。認証中に、無線端末２０２はＮＡＩのような識別するしるしを基地局２０４に提供することができる。ＮＡＩは無線端末２０２を利用する加入者に関連したネットワーク（例えばＭＶＮＯ）２０８を決定するＡＡＡサーバ２０６に中継され得る。そのような決定は、例えばＮＡＩ内の領域の分析を通じてなすことができる。次に、アクセス要求がネットワークのＡＡＡサーバ２１０（例えば、ネットワーク２０８に特定であるＡＡＡサーバ２１０）へ供給されることができる。したがってネットワークＡＡＡサーバ２１０は無線端末２０２を確証することができ、ネットワーク２０８と関連付けられる少なくとも１つのホーム・エージェント２１２のために特定のアドレスかホスト名を基地局に２０４を供給することができる。ホーム・エージェント・アドレスおよび/またはホスト名は、基地局２０４に直接あるいはＡＡＡサーバ２０６経由で供給され得る。基地局２０４がホスト名を受信する場合、例えば、それはＤＮＳ（示されない）の利用によってＩＰアドレスへそのようなホスト名を解決することができる。ＩＰアドレスに対するホスト名を解決するための他のメカニズムおよび方法は、発明者によって考慮され、ここに添付された請求項の範囲内であるように意図される。基地局２０４は、ホーム・エージェント２１２へ移動ＩＰトンネルを構築することができ、そこではホーム・エージェント２１２は、ネットワーク２０８のゲートウェイへあらかじめ形成されたトンネルを持つことができる。別の実施例では、基地局２０４は、ネットワーク２０８の領域を一組のホーム・エージェント（例えば、ＤＮＳ、構内接続および/または他の適切なデータベース経由により）へ解決することにより、ネットワーク・ホーム・エージェントを割り付けることができる。
【００２８】
ＡＡＡサーバ２０６は、いくつかの異なる方法で基地局２０４にホーム・エージェント２１２のアドレスを返すことができる。例えば、基地局２０４はそのまま使用することができるＩＰアドレスを備えることができる。別の例において、そのようなアドレスは、基地局２０４によって１つ以上のＩＰアドレス（負荷つり合いのため）を解決することができるホスト名の形にすることができる。さらに、ネットワーク２０８の領域は基地局２０４に供給することができ、基地局２０４は、ＤＮＳの利用によって解決することができるホスト名（例えば、ホーム・エージェント．ｍｖｎｏ）を自動的に構築することができる。
【００２９】
図３および４を参照すると、無線端末および/またはホストを構成することに関係のある方法論が例証される。説明の単純性の目的のために、方法論が一連の行為として示され且つ記述される一方、それは方法論が行為の順番により制限されないことを理解および認識すべきであり、いくつかの行為が、１つ以上の実施例に従って、ここに示されかつ記述されたそれから異なる順序および/または他の行為と同時に生じてもよい。例えば、技術に熟練している人々は、状態図におけるように、方法論が一連の相互関係があった状態あるいはイベントとして二者択一で表わすことができることを理解しかつ認識するだろう。さらに、すべての例証された行為が請求された主題に従って方法論を実施するために利用されるとは限らない。
【００３０】
特に図３を参照すると、無線端末に関連した基地局にホーム・エージェントの識別／アドレスを供給するための方法論３００が例証される。方法論３００が３０２で開始し、３０４で無線端末に関連した識別するしるしが受信される。特に、そのような識別するしるしは、無線端末が無線ネットワークにアクセスを試みる場合、引き受けられる認証／認可／課金手続きに関して受信され得る。さらに、識別するしるしはＮＡＩであることができ、例えば３０６で、ＡＡＡサーバで受信されることができ、無線端末に望ましく割り当てられるホーム・エージェントが決定され、そのような決定は識別するしるしに少なくとも一部分基づくことができる。例えば、ホーム・エージェントを決定するためにデータベースがアクセスされ得る。別の例において、ＮＡＩの内の領域はＭＶＮＯのような特別のネットワークを決定するために分析され、そのような決定に基づいてネットワークに関連したホーム・エージェントが決定され得る。３０８で、ホーム・エージェント・アドレス／識別は、無線端末に通信的に接続される基地局に供給される。その後、基地局はホーム・エージェント・アドレスを解決し（必要ならば）、かつ正確なホーム・エージェントへ移動ＩＰトンネルを作成することができる。方法論３００は、例えばＡＡＡサーバ内で有効にされ、ＩＰベースのセルラ型システム内で引き受けられることができる。方法論３００は３１０で完成する。
【００３１】
今、図４を参照すると、ホーム・エージェントにより無線端末を登録するための方法論４００が例証される。例えば、方法論４００は基地局内で引き受けられることができる。方法論４００は４０２から開始し、４０４で、ネットワーク・アクセス要求が無線端末から受信される。例えば、無線端末はネットワークに関連した地理的な領域に入ることができ、電源は入れることなどができる。アクセス要求は、無線端末（無線端末が認証／認可に従うことができるような）に関連した識別するしるしを基地局に供給することを含むことができる。４０６で、アクセス要求内の識別するしるしはＡＡＡサーバに供給され、そのようなサーバはＭＶＮＯ特有のＡＡＡサーバであることができ、大規模のＡＡＡサーバなどになり得る。上に記述されるように、識別するしるしは、ＮＡＩ、ＩＭＳＩ値、電話番号、あるいは無線端末あるいはそれらと関連する加入者を識別するために利用することができる他の適切なデータであり得る。
【００３２】
４０８で、無線端末に割り当てられる１つ以上のホーム・エージェントの識別が受信される。例えば、そのような識別はＡＡＡサーバで決定され、かつ基地局に供給され、その識別はＩＰアドレス、ホスト名などかもしれない。１つ以上のホスト名が受信される場合、そのようなホスト名は例えば、ＤＮＳの利用によってＩＰアドレスに解決されることができる。４１０で、識別されたホーム・エージェントのうちの１つに関して登録が行なわれる。例えば、ＡＡＡサーバは領域あるいはホーム・エージェントのリストを基地局に供給することができ、また、基地局はそのようなリストに基づいて適切なホーム・エージェントを解決することができる。別の例において、ＡＡＡサーバは、ホーム・エージェントの重み付けされたリストを基地局に提供することができ、ホーム・エージェントは位置、能力および/または同様なものに基づいて重み付けされ得る。次に基地局は、どのホーム・エージェントがそのような端末で登録中に無線端末と関連付けられなければならないか解決することができる。より詳細に、基地局は選択されたホーム・エージェントと移動ＩＰ（ＭＩＰ）トンネルを作成することができる。方法論４００は４１２で完成する。
【００３３】
図５を参照すると、構成図５００が示される。図５００は、ホスト５０２、無線端末５０４、基地局５０６、ＡＡＡサーバ５０８、ホーム・エージェント５１０および選択的にＤＮＳ５１２に関する。ホスト５０２はコンピュータまたは携帯機器であり得、ＩＰスタックを含むことができる。無線端末５０４は物理層接続およびネットワークとの通信（例えば、基地局５０６との無線通信を確立する）を扱うために利用することができる。基地局５０６はネットワーク・サービスへのアクセス・ポイントとして動作し、ホーム・エージェント５０８は移動度管理に関して利用することができる。ＡＡＡサーバ５０８は無線端末５０４に関して認証、認可および/または課金することに関して利用することができ、また、ＤＮＳ５１２は、例えば、ホーム・エージェントのホスト名を与えられた時ＩＰアドレスを解決することに関して使用することができる。
【００３４】
無線端末５０４および基地局５０６は５１４でエアー・インターフェース・アクセスを試みることができ、そのような行為５１４は、無線端末５０４と基地局５０６の間の物理層接続の確立に関係がある。５１６で無線端末５０４はネットワーク・アクセス要求を基地局に５０６を供給し、そのような要求は無線端末５０４へ関係のある識別するしるしを含むことができる。そのようなしるしは、例えば、ＮＡＩ（あるいは他の適切な識別子）を含むことができる。５１８でＡＡＡのアクセス要求は基地局５０６で形成されかつＡＡＡサーバ５０８に供給されることができ、そのような要求はＮＡＩあるいは他の適切な識別子を含むことができる。５１９でネットワーク・アクセスは、無線端末５０４、基地局５０６およびＡＡＡサーバ５０８の間で行なうことができる。例えば、ネットワーク・アクセスは、無線端末５０４とＡＡＡサーバの間の相互の認証に関係することができる。５２０で、ＡＡＡサーバ５０８はアクセス要求を受理し、ちょうどそれだけを示す基地局５０６へメッセージを提供することができる。さらに、アクセス受理メッセージはホーム・エージェントＩＰアドレス、ホスト名（例えば、ＭＶＮＯホーム・エージェント・ホスト名）、または特別のホーム・エージェント（例えば、ホーム・エージェント５１０）の他の適切な識別子を含むことができる。
【００３５】
ＡＡＡサーバ５０８がホスト名を基地局５０６に供給すれば、基地局５０６は５２２で、ＤＮＳ５１２へそのようなホスト名に関してＤＮＳ解決要求を提供することができる。５２４で、ＤＮＳ５１２は基地局５０６に対する解決応答を提供し、解決応答はホーム・エージェント５１０（それはホスト名に関係している）のＩＰアドレスを含むことができる。
【００３６】
５２６で、接続応答メッセージが基地局５０６から無線端末５０４に供給され、そのようなメッセージは無線端末５０４の構成に関して使用することができる。例えば、接続応答メッセージはネットワーク層で基地局５０６を識別する情報（例えば、ネットワーク層の唯一の識別子）を含むことができる。例において、情報は基地局５０６と関連したＩＰアドレス、ＩＰアドレスがホスト５０２に関して準備している指示、ホーム・エージェント５１０のＩＰアドレスなどであるか、または含むことができる。
【００３７】
無線端末５０４は、その後５２８で基地局５０６へ登録要求メッセージを提供することができ、登録要求メッセージは、ＭＭＰ（移動ＩＰに基づくが、より小さなメッセージを使用するプロトコル）に一致することができる。５２８の行為は無線端末５０４と基地局５０６（多数のリンクが可能になる場合）の間の主要なリンクとしてリンクを確立する。構成図５００のこの例では、ＭＭＰは無線端末５０４および基地局５０６で実行することができる。しかしながら、ホスト５０２および/またはホーム・エージェント５１０がＭＭＰを実行するように構成することができることは、理解される。さらに、ＭＩＰは無線端末５０２と基地局５０６の間で従来のもののように実行することができ、そのような構成要求メッセージはホーム・エージェントの識別あるいはアクセスを含んでいる。基地局５０６は登録要求メッセージを受信し、かつ無線端末５０４（あるいはそれと関連する加入者）に関連したプロファイルを分析するように構成される。プロファイルは、例えば５２０でアクセス・メッセージ内に受信することができ、かつホーム・エージェント・アドレスを含むことができる。プロファイルの内容は、無線端末５０４が静的または動的にアドレスされるかどうかを示すことができる。５３０で、基地局５０６は、行為５２０の間に識別されたホーム・エージェント５１０へのＭＩＰ登録要求メッセージを形成しかつ中継することができる。さらに、最初の登録の場合、表示は５３０で提供することができ、無線端末５０４に割り当てられたＩＰアドレス（例えば、フラグを設定するか要求内の特別の値を含んでいることによる）はない。
【００３８】
５３２で、ホーム・エージェント５１０は、例えばＭＩＰ（ＭＩＰ登録応答メッセージ）の中の適切な返答により基地局５０６へ応答することができる。そのような返答は、ホスト５０２に望ましいように割り当てられるＩＰアドレス、ホーム・エージェント５１０のアドレス、および/または登録が終了前に有効になる時間量を含むことができる。ＭＩＰ登録応答メッセージを受信する際、基地局５０６はＭＭＰ登録応答メッセージを形成し、５３４で無線端末５０４へのそのようなメッセージを提供することができる。そのようなメッセージは、ＭＩＰ登録応答メッセージ内の時間量に相当する寿命フィールドを含むことができる。例えば、寿命フィールドは、ＭＩＰ登録応答メッセージ内に示された時間以下である時間を含むことができる。代わりに、ＭＩＰはホスト５０２および/または無線端末５０４の構成と関係してホーム・エージェント５１０とホスト５０２の間で実行することができる。
【００３９】
ＭＭＰ登録応答メッセージの受信に際して、無線端末５０４は主要なリンクとして基地局５０６とのそのリンクを確立することができた。これが、無線端末５０４が主要なリンクを確立した最初のことかもしれないので、無線端末５０４は、５３６でネットワークが利用可能である無線端末インターフェース上でホスト５０２に示すことができる。そのようなトリガーは、ホスト５０２の自動構成プロセスを始めることができ、ネットワークが無線端末インターフェース上で成されることを無線端末５０４が指示するまで、その構成は有効である。典型的には、ホスト５０２は、主要なリンクが確立されたことを一旦単に通知される必要がある。並列に、基地局５０６は、無線端末５０４とのリンクが無線端末５０４に関して主要なリンクであることに気づくことができる。
【００４０】
５３８で、ホスト５０２はＤＨＣＰ発見メッセージを生成することができ、それは無線端末５０４および/または基地局５０６に配達することができる。ＤＨＣＰ発見メッセージが基地局５０６によって受信される場合、基地局５０６は、５４０で適切なＤＨＣＰ提供メッセージでホスト５０２へ答えることができる。そのようなメッセージは様々なパラメータ（ＤＨＣＰ発見メッセージ内のパラメータに依存して）を含むことができる。例えば、ＤＨＣＰ提供メッセージはＩＰアドレス、リース期間、割り当てられたＩＰアドレスのためのゲートウェイ・アドレス、割り当てられたＩＰアドレスのためのネットワークマストおよび同種のものを含むことができる。５４２で、ホスト５０２は、ＤＨＣＰ要求メッセージで答え、次に５４４で基地局５０６が確認メッセージで答えることができる。言いかえれば、基地局５０６はＤＨＣＰサーバとして構成され得る。ホスト５０２はこのように接続されかつ構成されたネットワーク層である。
【００４１】
別の例において、無線端末５０４はＤＨＣＰサーバとして構成することができる。例えば、ＤＨＣＰ発見メッセージは、ホスト５０２に関係している構成情報の知識を持つことができる無線端末５０４によって受信することができる。無線端末５０４は、その後ＤＨＣＰ提供メッセージを用いてホスト１００２を形成しかつ供給することができ、ホスト５０２の応答を（例えば、ＤＨＣＰ要求メッセージの形式で）受信することができる。無線端末５０４は、その後ＤＨＣＰ肯定応答をホスト５０２に供給することができる。さらに、（無線端末５０４ではなく）ホスト５０２がＭＭＰメッセージを生成しかつ受信することができるように、ホスト５０２はＭＭＰを実行するように構成することができる。ホスト５０２がそのようなやり方で構成されれば、ホスト５０２がＭＭＰの上で直接構成され得るので、ＤＨＣＰサーバとして無線端末５０４あるいは基地局５０６を構成することが必要ではないかもしれない。
【００４２】
図６を参照すると、構成図６００が示される。構成図６００は、端末装置６０２、基地局６０４、ＡＡＡサーバ６０６、ホーム・エージェント６０８および（選択的に）ＤＮＳ６１０に関係がある。例えば、端末装置６０２は無線端末であり得る。別の例では、端末装置６０２は、ホスト（例えば、コンピュータ、パーソナル・デジタル・アシスタント（ＰＤＡ）、ゲーム機、カメラ・・・）と統合された無線端末であり得る。端末装置６０２および基地局６０４は、６１２でエアー・インターフェース・アクセスを試みることができ、そこではそのような行為６１２は、端末装置６０２と基地局６０４の間の物理層接続の確立に関係がある。６１４で、端末装置６０２は基地局６０４へのネットワーク・アクセス要求を形成し、かつ中継することができ、要求は、端末装置６０２あるいは他の適切な識別するしるしに関連したＮＡＩを含むことができる。
【００４３】
６１６で、基地局６０４はＡＡＡアクセス要求をＡＡＡサーバ６０６に供給することができる。６１６で提供される要求は、例えば、識別するしるしを含むことができる。６１７で、ネットワーク・アクセス手順は、端末装置６０２とＡＡＡサーバ６０６の間で行なうことができる。例えば、ＡＡＡサーバは、ネットワーク・アクセス手順中に端末装置６０２に関連したプロファイルを決定することができる。６１８で、ＡＡＡサーバ６０６はアクセス受理メッセージを生成し、かつ基地局６０４へそのようなメッセージを提供することができ、アクセス要求メッセージは、ＭＶＮＯホーム・エージェント・ホスト名のようなホーム・エージェント６０８（幾つかの利用可能なホーム・エージェントから選択された）および/またはホスト名のアドレスを含むことができる。例えば、端末装置６０２にサービスを提供するＭＶＮＯと関連付けられる特別のホーム・エージェントにより端末装置６０２を割り当てることは望ましいかもしれない。
【００４４】
６２０で、アクセス受理メッセージがホスト名を含んでいる場合、基地局６０４はＤＮＳ６１０へそのようなホスト名に関してＤＮＳ解決要求を提供することができる。６２２で、ＤＮＳ６１０は解決応答メッセージを生成し、かつ基地局６０４へ送信し、応答メッセージはホーム・エージェント６０８のＩＰアドレスを含むことができる。その後、基地局６０４は、６２４で端末装置６０２へ構成メッセージを提供することができ、そのようなメッセージはホーム・エージェント６０８のアドレスを含むことができる。６２６で、端末装置は移動ＩＰ（ＭＩＰ）に登録要求を形成することができる。例えば、登録要求は、端末装置６０２に関連したホスト（示されない）のためのＩＰアドレスの要求に関係することができる。６２８で、基地局６０４はホーム・エージェント６０８にＭＩＰ登録要求を送信することができ、６３０でホーム・エージェント６０８はＭＩＰ登録応答メッセージで応答することができる。６３２で、ＭＩＰ登録応答メッセージは、基地局６０４から端末装置６０２へ中継される。この場合、ＭＩＰ登録応答メッセージは追加構成、例えばホームアドレス、ネットワーク・マスク、デフォルトルータ、ＤＮＳサーバ、およびＤＨＣＰメッセージ（例えば、図５におけるような）に通常含まれる他の情報を含むことができる。
【００４５】
全体的に図７および８に転じると、ホストの構成に関係のあるシステムが提供される。システムは、プロセッサ、ソフトウェア、ハードウェア、ファームウェアあるいはそれの任意の適切な組合せによって実施された機能を表わすことができる、一連の相互関係機能ブロックとして表わされる。特に図７を参照すると、ホーム・エージェントと移動端末の連合を促進するシステムが示される。システム７００は、ＡＡＡサーバ７０２からのプロファイルを受信するための論理的なモジュールを含んでいる。例えば、プロファイルは、移動端末に関連した識別するしるしを受信するＡＡＡサーバに応じて受信され得る。論理的モジュール７０２はアンテナ、受信機連鎖、ネットワーク・ポートおよび/または任意の適切なハードウェア、ソフトウェア、ファームウェアおよびＡＡＡサーバからのプロファイルの受信を促進することができるその他同種のものを含むことができる。システム７００は、識別されたホーム・エージェント７０４へのＭＩＰトンネルの作成のために、さらに論理的なモジュールを含んでいる。例えば、ホーム・エージェントは受信プロファイル内で識別されることができる。論理的モジュール７０４はアンテナ、送信機連鎖、プロセッサ、メモリ、ハードウェア、ソフトウェア、ファームウェアなどを含むことができる。
【００４６】
図８に関して、選択されたホーム・エージェントにより無線端末を登録することに関して利用されたシステム８００が示される。システム８００は、基地局８０２から加入者と関係する識別するしるしを受信するための論理的モジュールを含んでいる。例えば、識別するしるしはＮＡＩあるいは他の適切な識別データであり得る。モジュール８０２はアンテナ、受信機連鎖、プロセッサ、メモリおよび/または任意の適切なハードウェア、ソフトウェア、および/または識別するしるしを受信することに関して利用することができるファームウェアを含むことができる。システム８００は、また加入者８０４に関連したネットワークの識別のために論理的モジュールを含んでいる。例えば、識別力は識別するしるしに少なくとも一部分基づいてなされることができる。そのようなモジュール８０４はプロセッサ、データベースなどを含むことができる。システム８００は、さらにネットワーク８０６に割り当てられた少なくとも１つのホーム・エージェントを決定のための論理的モジュールを含むことができ、モジュール８０６はプロセッサ、メモリ、データベース、ＤＮＳなどを含むことができる。システム８００は、さらに少なくとも１つのホーム・エージェントを加入者８０８に割り当てるために論理的モジュールを含んでおり、モジュール８０８はアンテナ、送信機、送信機連鎖、ネットワーク・ポート、プロセッサ、メモリおよびその他同種のものを含むことができる。
【００４７】
図９に転じると、無線通信装置９００が示される。無線通信装置は、例えば、無線端末、基地局および/またはＡＡＡサーバであり得る。装置９００はメモリ９０２を含み、それは例えば、加入者に関連した識別するしるしを作成して、パッケージングおよび/または受信することに関係のある命令を含むことができる。さらに、メモリ９０２は、受信された加入者識別に少なくとも一部分基づいたホーム・エージェントを選択するための命令を含むことができる。さらに、メモリ９０２は、基地局と選択されたホーム・エージェントの間のＭＩＰトンネルなどを作成するための命令を含むことができる。装置９００はまた、メモリ９０２内に保持された命令を実行することができるプロセッサ９０４を含むことができる。
【００４８】
ここに記述された１つ以上の実施例に追加の文脈を供給するために、図１０が通信リンクによって相互に連結した複数のノードを含む例示的通信システム１０００を示すように提供される。システム１０００は、無線リンク上で情報を通信する直交周波数分割多重（ＯＦＤＭ）信号を使用してもよい。しかしながら、他のタイプの信号、例えば符号分割多元接続（ＣＤＭＡ）信号、時分割多元接続（ＴＤＭＡ）信号も考慮される（地上ベースのネットワークの中で利用された信号と一緒に）。通信プロトコル、例えばインターネット・プロトコル（ＩＰ）に基づいた信号、例えばメッセージを使用して通信システム１０００におけるノードは情報を交換する。システム１０００の通信リンクは、例えばワイヤ、光ファイバーケーブルおよび/または無線通信技術を使用して実施されてもよい。システム１０００は複数の末端ノード１００２−１０１２を含み、それは複数のアクセスノード１０１４−１０１８経由で通信システム１０００にアクセスする。末端ノード１００２−１０１２は、例えば無線通信装置、または端末であるかもしれない、またアクセスノード１０１４−１０１８は、例えば無線アクセス・ルータまたは基地局であるかもしれない。通信システム１０００はまた、相互接続性を提供するか、あるいは特定のサービスまたは機能を提供するために使用される多くの他のノード１０２０−１０３０を含んでいる。
【００４９】
通信システム１０００は、アクセス制御ノード１０２０（それはＡＡＡサーバであり得る）、第１移動度支援ノード１０２２、第２移動度支援ノード１０２４およびアプリケーションサーバ・ノード１０２６（それは例えば、ＤＮＳサーバであり得る）を含んでいるネットワーク１０６０を示し、その全部は、それぞれ対応するネットワーク・リンク１０３２−１０３８によって中間ネットワーク・ノード１０２８に接続される。いくつかの実施例では、アクセス制御ノード、例えばリモート・オーセンティケイション・ダイアル・イン・ユーザ・サービス（ＲＡＤＩＵＳ）またはダイアメタ・サーバは、認証、認可および/または末端ノードおよび/または末端ノードに関連したサービスの課金を支援する。いくつかの実施例において、移動度支援ノード１０２２および１０２４、例えば、移動ＩＰ、ホーム・エージェントおよび/またはコンテキスト転送サーバは、例えば、末端ノードに／末端ノードからのトラヒックのリダイレクションおよび/またはアクセスノード間の末端ノードに関連した状態の転送の方法により、アクセスノード間の末端ノードの移動度、例えば、ハンドオフを支援する。いくつかの実施例では、アプリケーションサーバ・ノード１０２６、例えばセッション開始プロトコル・サーバ、ストリーミング媒体サーバ、または他のアプリケーション層サーバは、末端ノードに利用可能なサービスのためのセッションシグナリングを支援し、および/または末端ノードに利用可能なサービスあるいは内容を提供する。例において、異なる末端ノードは、それらが属するネットワークによる異なる移動度支援ノードと関係付けられることができる。例えば、第１の移動度支援ノード１０２２は第１のネットワークと関連付けることができ、一方第２の移動度支援ノード１０２４は第２のネットワークに接続され得る。そのようなネットワークは、例えばＭＶＮＯ、ＶＰＮおよび/またはそれの組合せになり得る。例として、移動度支援ノード１０２２および１０２４は、そのようなノードが第１と第２ネットワークに連結されることを可能にするネットワークゲートウエイ・モジュール（示されない）にそれぞれ接続することができる。
【００５０】
ネットワーク１０６０におけるネットワーク・ノード１０２８は、ネットワーク・リンク１０３４経由でネットワーク１０６０の観点から外部ネットワーク・ノードに相互接続性を供給する。ネットワーク・リンク１０３４は、中間のネットワーク・ノード１０３０に接続され、それはネットワーク・リンク１０３６−１０４０経由で、それぞれアクセスノード１０１４、１０１６および１０１８にさらなる接続性を供給する。各アクセスノード１０１４−１０１８は、それぞれ対応するアクセスリンク１０４２−１０５２経由で末端ノード１００２−１０１２にそれぞれ接続性を供給するように描かれる。通信システム１０００において、各アクセスノード１０１４−１０１８は、アクセスを提供するために、例えば無線アクセスリンクの無線技術を使用するように描かれる。しかしながら、アクセスの準備に関して有線技術も利用され得る。無線カバレージエリア、例えば各アクセスノード１０１４−１０１８の通信セル１０５４−１０５８に対応するアクセスノードを包む円として示される。
【００５１】
通信システム１０００はここに記述された様々な実施例の記述の基礎として使用することができる。代わりの実施例は様々なネットワークトポロジを含んでおり、そこではノードの数および型（様々な制御、支援およびサーバ・ノードと同様に、ネットワーク・ノード、アクセスノード、末端ノードを含んでいる）、リンクの数および型、および様々なノード間の相互接続性が通信システム１０００のそれと異なっているかもしれない。さらに、通信システム１０００で描かれた機能エンティティーのうちのいくつかは省略されてもよいし組み合わせられてもよい。これらの機能エンティティーの位置あるいは配置も変えられてもよい。
【００５２】
図１１は末端ノード１１００、例えば無線端末、ホスト装置、またはその組合せの実例を供給する。末端ノード１１００は、末端ノード１００２−１０１２（図１０）のうちの任意の１つとして使用されてもよい装置の表現である。末端ノード１１００はバス１１１０でともに接続されたプロセッサ１１０２、無線通信インターフェースモジュール１１０４、ユーザ入力／出力インターフェース１１０６、およびメモリ１１０８を含んでいる。従って、バス１１１０経由で、末端ノード１１００の様々な構成要素は情報、信号およびデータを交換できる。末端ノード１１００の構成要素１１０２−１１０８はハウジング１１１２の内部に位置付けられる。
【００５３】
無線通信インターフェースモジュール１１０４は、末端ノード１１００の内部構成要素が外部装置およびネットワーク・ノード、例えばアクセスノードへ／から信号を送りかつ受信することができるメカニズムを提供する。無線通信インターフェースモジュール１１０４は、例えば無線通信チャネル経由で、末端ノード１１００を他のネットワーク・ノードへ連結するために使用される、例えば対応する受信アンテナ１１１６を備えた受信機モジュール１１１４、および対応する送信アンテナ１１２０を備えた送信機モジュール１１１８を含んでいる。
【００５４】
末端ノード１１００はさらにユーザ入力装置１１２２、例えばキーパッド、およびユーザ出力装置１１２４、例えばディスプレイを含んでおり、それはユーザ入力／出力インターフェース１１０６を通してバス１１１０に接続されている。したがってユーザ入力／出力装置１１２２および１１２４は、ユーザ入力／出力インターフェース１１０６およびバス１１１０経由で末端ノード１１００の他の構成要素と情報、信号およびデータを交換することができる。ユーザ入力／出力インターフェース１１０６および関連する装置１１２２および１１２４は、様々なタスクを遂行するためにユーザが末端ノード１１００を操作することができるメカニズムを提供する。特に、ユーザ入力装置１１２２およびユーザ出力装置１１２４は、ユーザが末端ノード１１００およびアプリケーション、例えば、末端ノード１１００のメモリ１１０８で実行するモジュール、プログラム、ルーチンおよび/または機能を制御することを可能にする機能性を提供する。
【００５５】
プロセッサ１１０２は、様々なモジュール、例えばメモリ１１０８に含まれたルーチンの制御のもとで、様々なシグナリングおよび処理を行なうために末端ノード１１００の操作を制御する。メモリ１１０８に含まれたモジュールは、開始すなわち他のモジュールによって呼ばれたとき実行される。実行された時、モジュールはデータ、情報および信号を交換し得る。実行された時、モジュールはさらにデータと情報を共有してもよい。末端ノード１１００のメモリ１１０８は制御シグナリングモジュール１１２６、アプリケーションモジュール１１２８およびトラヒック制御モジュール１１３０を含み、それはさらに構成情報１１３２および様々な追加モジュールを含んでいる。
【００５６】
制御シグナリングモジュール１１２６は、例えば、構成情報１１３２および様々な追加モジュールと同様にトラヒック制御モジュール１１３０を含んでいる末端ノード１１００の種々の態様の動作および/または構成を制御するために、信号、例えばメッセージの受信および送信に関係のある処理を制御する。いくつかの実施例では、制御シグナリングモジュール１１２６は、末端ノード１１００の動作および/または制御シグナリングモジュール１１２６に支援された１つ以上の信号プロトコルに関して、状態情報、例えばパラメータ、ステータスおよび/または他の情報を含むことができる。特に、制御シグナリングモジュール１１２６は構成情報、例えば、末端ノード識別情報および/またはパラメータ設定、および操作情報、例えば現在の処理状態、ペンディングメッセージ処理などのステータスに関する情報などを含んでいてもよい。
【００５７】
アプリケーションモジュール１１２８は末端ノード１１００により支援された１つ以上のアプリケーションに関係のある処理および通信を制御する。いくつかの実施例では、アプリケーションモジュール１１２８の処理は、ユーザ入力／出力インターフェース１１０６経由の情報の入力／出力に関係のあるタスク、アプリケーションに関連した情報操作、および/または、信号、例えばアプリケーションに関連したメッセージを受信または送信することを含むことができる。いくつかの実施例では、アプリケーションモジュール１１２８は、状態情報、例えばアプリケーションモジュール１１２８により支援された１つ以上のアプリケーションの動作に関しているパラメータ、ステータスおよび/または他の情報を含んでいる。特に、アプリケーションモジュール１１２８は構成情報、例えば、ユーザ識別情報および/またはパラメータ設定、および操作情報、例えば現在の処理状態、ペンディングの応答のステータスなどに関する情報を含んでいてもよい。アプリケーションモジュール１１２８により支援されたアプリケーションは、例えばＩＰ上の音声（ＶｏＩＰ）、ウェブ・ブラウジング、ストリーミングオーディオ／ビデオ、インスタント・メッセージング、ファイル・シェアリング、ゲーミングなどを含んでいる。
【００５８】
トラヒック制御モジュール１１３０は受信および送信データ情報、例えば無線通信インターフェースモジュール１１０４を通したメッセージ、パケットおよび/またはフレームに関係のある処理を制御する。トラヒック制御モジュール１１３０の例は、ホーム・エージェントが複数のホーム・エージェント中から選ばれていることを可能にする様々な追加モジュールと同様に構成情報１１３２も含んでいる。様々な追加モジュールは、いくつかの実施例においては、トラヒック制御の特定の態様をサポートするために必要とされる特定機能および動作を行なうように含まれている。モジュールは、トラヒック制御の機能要件に依存して必要とされるとき、省略されおよび/または組み合わせられてもよい。トラヒック制御モジュール１１３０に含まれた各追加モジュールの記述が続く。
【００５９】
エアー・インターフェース・モジュール１１３４は、末端ノード１１００とアクセスノード（基地局のように、示されない）との間の物理層接続を確立することを促進する。エアー・インターフェース・モジュール１１３４は、例えば、末端ノード１１００で、電力を受信することおよび/またはネットワークに入ること（例えばネットワークに関連した地理的なエリアに入ること）を開始することができる。構成情報１１３２は構成情報、例えばエアー・インターフェース・モジュール１１３４の動作に影響するパラメータ設定を含むことができる。
【００６０】
ネットワーク・アクセス・モジュール１１３６は、例えばＡＡＡサーバへのネットワーク・アクセスの要求、およびネットワーク・アクセスに関係する応答の受信を促進することができる。例えば、ネットワーク・アクセス・モジュール１１３６は、ＮＡＩのようなＡＡＡサーバへ末端ノード１１００に関連した識別するしるしを提供することに関して採用することができる。識別するしるしは、ネットワーク・アクセス・モジュールによって読みおよび/または書くことができるモジュールデータ１１４６内に保持することができる。ネットワーク・アクセス・モジュール１１３６はまた、末端ノード１１００と関連付けられるべきであるホーム・エージェント（例えば、末端ノード１１００にサービスを提供するＭＶＮＯと関係するホーム・エージェント）のアドレスを受信するために利用することができる。
【００６１】
ＷＴＩのモジュール１１３８は、無線端末とホストの間の通過データに利用することができる。そのような情報は、ホストに割り当てられたＩＰアドレスのような構成情報（および他の適切な構成情報）であり得る。ＭＭＰモジュール１１４０は、末端ノード１１００がＭＭＰプロトコル（例えば基地局からの）に相当するメッセージを受け取りかつ解釈することを可能にする。ＭＭＰモジュールはさらに、末端ノード１１００が構成要求メッセージのようなＭＭＰメッセージを形成しかつ基地局へ送信することを可能にする。ＭＩＰモジュール１１４２は、移動ＩＰ（例えば、移動ＩＰｖ４および/または移動ＩＰｖ６）における構成メッセージを受け取り、解釈し、形成し、かつ送信するために、末端ノード１１００に方法を供給する。ＤＨＣＰモジュール１１４４は、末端ノード１１００にＤＨＣＰサーバの役割をする能力を供給する。例えば、ＤＨＣＰモジュール１１４４はＤＨＣＰ発見メッセージに応答し、構成情報などをホスト装置に供給するように構成することができる。モジュールデータ１１４６は、１つ以上のモジュール１１３２−１１４４により抽出することができるデータ、または１つ以上のモジュール１１３２−１１４４によって入力されたデータを含むことができる。例えば、モジュールデータ１１４６はネットワーク・アクセスデータを含むことができ、特定のアドレス（例えば、基地局アドレス、ホーム・エージェント・アドレス・・・）、ＭＭＰあるいは移動ＩＰデータなどを保持することができる。
【００６２】
図１２は、例示的アクセスノード１２００の詳細な実例を提供する。アクセスノード１２００は、図１０で描かれたアクセスノード１０１４−１０１８のうちの任意の１つとして使用されてもよい装置の詳細な表現である。図１２実施例では、アクセスノード１２００はバス１２１０でともに連結されたプロセッサ１２０２、メモリ１２０４、ネットワーク／インターネットワーク・インターフェースモジュール１２０６および無線通信インターフェースモジュール１２０８を含んでいる。従って、バス１２１０経由でアクセスノード１２００の様々な構成要素は情報、信号およびデータを交換することができる。アクセスノード１２００の構成要素１２０２−１２１０はハウジング１２１２の内部に配置される。
【００６３】
ネットワーク／インターネットワーク・インターフェースモジュール１２０６は、アクセスノード１２００の内部構成要素が外部装置およびネットワーク・ノードへ／から信号を送りかつ受信することができるメカニズムを提供する。ネットワーク／インターネットワーク・インターフェースモジュール１２０６は、例えば、銅線あるいは光ファイバーラインを通って、他のネットワーク・ノードにノード１２００を接続するために使用される受信機モジュール１２１４、および送信機モジュール１２１６を含んでいる。無線通信インターフェースモジュール１２０８はまた、アクセスノード１２００の内部構成要素が外部装置およびネットワーク・ノード、例えば末端ノードへ／から信号を送りかつ受信することができるメカニズムを提供する。無線通信インターフェースモジュール１２０８は、例えば対応する受信アンテナ１２２０を備えた受信機モジュール１２１８、および対応する送信アンテナ１２２４を備えた送信機モジュール１２２２を含んでいる。無線通信インターフェースモジュール１２０８は、例えば無線通信チャネル経由で、アクセスノード１２００を他のノードに接続するために使用される。
【００６４】
様々なモジュールの制御、例えばメモリ１２０４に含まれたルーチンの下でプロセッサ１２０２は、様々なシグナリングおよび処理を行なうためにアクセスノード１２００の動作を制御する。メモリ１２０４に含まれたモジュールは、起動または他のモジュールによって呼ばれたときに実行される。実行された時、モジュールはデータ、情報および信号を交換する。実行された時、モジュールはさらにデータと情報を共有してもよい。図１２実施例では、アクセスノード１２００のメモリ１２０４は制御シグナリングモジュール１２２６およびトラヒック制御モジュール１２２８を含んでおり、それはさらに構成情報１２３０および様々な追加モジュール１２３２−１２４２を含んでいる。
【００６５】
構成情報１２３０およびそこに含まれた様々な追加モジュール１２３２−１２４２と同様に、例えば、トラヒック制御モジュール１２２８を含んでいるアクセスノード１２００の種々の態様の動作および/または構成を制御するために、制御シグナリングモジュール１２２６は受信および送信信号、例えばメッセージに関する処理を制御する。例えば、制御シグナリングモジュール１２２６は、アクセスノード１２００の動作および/または制御シグナリングモジュール１２２６により支援された１つ以上の信号プロトコルに関して、状態情報、例えばパラメータ、ステータスおよび/または他の情報を含んでいる。特に、制御シグナリングモジュール１２２６は、構成情報、例えばアクセスノード識別情報および/またはパラメータ設定、および操作情報、例えば現在の処理状態、ペンディング・メッセージ・トランザクションなどのステータスに関する情報を含んでいてもよい。
【００６６】
トラヒック制御モジュール１２２８は、無線通信インターフェースモジュール１２０８経由により受信および送出データ情報、例えば、メッセージ、パケットおよび/またはフレームに関係する処理を制御する。例えば、トラヒック制御モジュールは、末端ノード（末端ノード１６００のような）と関連したホーム・エージェントを決定することと関係して利用される様々な追加モジュール１２３２−１２４２と同様に、構成情報１２３０も含むことができる。いくつかの実施例では、トラヒック制御モジュール１２２８は、アクセスノード１２００、トラヒック制御モジュール１２２８および/またはそこに含まれる１つ以上の様々な追加モジュール１２３２−１２４２の動作に関して、状態情報、例えばパラメータ、ステータスおよび/または他の情報を含む。構成情報１２３０、例えばパラメータ設定は、トラヒック制御モジュール１２２８および/またはそこに含まれた様々な追加モジュール１２３２−１２４２の動作を決定し、影響を及ぼし、および/または規定する。様々な追加モジュールは、いくつかの実施例において、トラヒック制御の特定の態様をサポートするために、必要なときに特定の機能および動作を行なうために含まれている。様々な実施例では、モジュールは、ホーム・エージェント選出の機能要件に依存して必要とされるときに省略されおよび/または組み合わせられ得る。トラヒック制御モジュール１２２８に含まれた各追加モジュールの記述が続く。
【００６７】
エアー・インターフェース・モジュール１２３２は末端ノードとアクセスノード１２００の間の物理層接続を確立することを促進する。エアー・インターフェース・モジュール１２３２は、例えば、無線端末がアクセスノード１２００の範囲内にあり、ネットワークへのアクセスを望むという指示を受信するアクセスノード１２００上で開始され得る。ネットワーク・アクセス・モジュール１２３４は、末端ノードを確証および認可（例えば、末端ノードの識別を確証する、および末端ノードに供給されるべきサービスのタイプおよび品質を決定する）に関して使用することができる。例えば、アクセスノード１２００は、末端ノードとＡＡＡサーバの間のコンジットの役割をすることがで、また、ネットワーク・アクセス・モジュール１２３４は、ネットワーク・アクセスに関係するメッセージのパッケージングおよび中継を促進することができる。
【００６８】
ＤＮＳ解決モジュール１２３６は、ホスト名を受け取り、かつホスト名に少なくとも一部分基づいたＩＰアドレスを解決することに関して利用することができる。特別の例において、アクセスノード１２００はＡＡＡサーバからＭＶＮＯホーム・エージェント・ホスト名を受信することができる。ＤＮＳ解決モジュール１２３６はＤＮＳサーバにＤＮＳ解決要求を供給することができ、そのようなサーバからＩＰアドレスを受信することができる。例えば、ＤＮＳ解決モジュール１２３６は、その後モジュールデータ１２４４内のＩＰアドレスを記憶することができる。
【００６９】
ＭＭＰモジュール１２３８はアクセスノード１２００が、ＭＭＰプロトコルに対応するメッセージ（例えば無線端末からの）を受け取りかつ解釈することを可能にする。ＭＭＰモジュールはさらに、アクセスノード１２００が構成要求メッセージのようなＭＭＰメッセージを形成し、末端ノードに送信することを可能にする。ＭＩＰモジュール１２４０は、移動ＩＰ（例えば移動ＩＰｖ４および/または移動ＩＰｖ６）の構成メッセージを受け取り、解釈し、形成し、かつ送信するために、アクセスノード１２００に方法を供給する。ＤＨＣＰモジュール１２４２は、アクセスノード１２００にＤＨＣＰサーバとして役割をする能力を供給する。例えば、ＤＨＣＰモジュール１２４２はＤＨＣＰ発見メッセージに応答するように構成することができ、ホスト装置に構成情報などを供給する。モジュールデータ１２４４は、１つ以上のモジュール１２３２−１２４２によって抽出することができるデータ、あるいは１つ以上のモジュール１２３２−１２４２によって入力されるデータを含むことができる。例えば、モジュールデータ１２４２はネットワーク・アクセスデータを含むことができ、特別のアドレス（例えば、基地局アドレス、ホーム・エージェント・アドレス・・・）、ＭＭＰあるいは移動ＩＰデータなどを保持することができる。さらに、モジュールデータ１２４２は、末端ノード、プロファイル、ＭＶＮＯホーム・エージェント識別子、ホーム・エージェント・アドレス、ＤＨＣＰデータおよび同種のものに関連した、識別するしるしを保持することができる。
【００７０】
図１３は、種々の態様に関連した例示的ＡＡＡサーバ１３００を示す。ＡＡＡサーバ１３００は、例えば図１０で描かれたアクセス制御ノード１０２６であり得る。描かれるように、ＡＡＡサーバ１３００はプロセッサ１３０２、通信インターフェース１３０４、およびバス１３１０でともに接続されたメモリ１３０８を含んでいる。従って、ＡＡＡサーバ１３００の様々な構成要素はバス１３１０経由で情報、信号およびデータを交換することができる。末端ノード１３００の構成要素１３０２−１３１０はハウジング１３１２の内部に配置される。
【００７１】
通信インターフェース１３０４は、ＡＡＡサーバ１３００の内部構成要素が、外部装置およびネットワーク・ノード（例えばアクセスノード）へ／から信号を送りかつ受信することができるメカニズムを提供する。通信インターフェース１３０４は、例えば、対応する受信アンテナ１３１６を備えた受信機モジュール１３１４、および他のネットワーク・ノード（例えば、任意の適切な通信チャネル経由により）にＡＡＡサーバ１３００を接続するために使用された、対応する送信アンテナ１３２０を備えた送信機モジュール１３１８を含んでいる。
【００７２】
プロセッサ１３０２はメモリ１３０８に含まれた様々なモジュール（例えば、ルーチン）の制御のもとにあり、様々なシグナリングおよびここに記述されるような処理を行なうためＡＡＡサーバ１３００の動作を制御する。メモリ１３０８に含まれたモジュールは、他のモジュールによって呼ばれるとき、起動で実行することができる。実行された時、モジュールはデータ、情報および信号を交換し得る。実行された時、モジュールはさらにデータと情報を共有してもよい。ＡＡＡサーバ１３００のメモリ１３０８はシグナリング／制御モジュール１３２６およびシグナリング／制御データ１３２８を含んでいてもよい。
【００７３】
シグナリング／制御モジュール１３２６は状態情報記憶装置、検索および処理の管理のために、信号（例えばメッセージ）を受信および送信ことに関係した処理を制御する。シグナリング／制御データ１３２８は、例えばパラメータ、ステータスおよび/またはＡＡＡサーバの動作に関係のある他の情報のような状態情報を含んでいる。特に、シグナリング／制御データ１３２８は、構成情報１３３０（例えば、ＡＡＡサーバ識別情報）および操作情報１３３２（例えば、現在の処理状態、ペンディングの応答のステータスなどに関する情報）を含んでいてもよい。シグナリング／制御モジュール１３２６はシグナリング／制御データ１３２８にアクセスしおよび/または修正してもよい（例えば、構成情報１３３０および/または操作情報１３３２を更新する）。
【００７４】
メモリ１３０８は、さらにホーム・エージェントを、ＮＡＩのような無線端末に関連した識別するしるしに基づいた無線端末と相関させるために利用される相関器モジュール１３３６を含むことができる。例えば、相関器モジュール１３３６は、特定のＭＶＮＯを持ったホーム・エージェントに索引を付けるデータベースをアクセスすることができ、また、相関器モジュール１３３６は、識別するしるしに基づいた特定のＭＶＮＯを決定することができる。その後、相関器モジュール１３３６は、特定のＭＶＮＯに割り当てられた少なくとも１つのホーム・エージェントを決定することができる。メモリ１３０８はさらに、特定の無線端末に関して（認可および課金と同様に）認証を行なうために利用することができる、ネットワーク・アクセス・モジュール１３３４を含むことができる。
【００７５】
上に記述されたものは、１つ以上の実施例の例示を含んでいる。それは、勿論、前述の実施例について記述する目的のための構成要素または方法論のすべての考えられる組合せについて記述することができないが、当業者は多くのさらなる組合せおよび様々な実施例の交換が可能であることを認識し得る。従って、記述された実施例は、添付された請求項の精神および範囲以内にあるような変更、修正および変化をすべて包含するように意図される。さらに、用語「含む（include）」は詳細な説明または請求項のいずれかで使用される範囲について、そのような用語は、請求項で過渡的な単語として使用された時、「含んでいる（comprising）」が解釈されるように、用語「含んでいる（comprising）」に似ているやり方で包括的になるように意図される。
【図面の簡単な説明】
【００７６】
【図１】無線端末に関連させるホーム・エージェントの決定を例証するために提供されるシステムの高レベル・ブロック図である。
【図２】無線端末に関連させるホーム・エージェントの決定を例証するために提供されるシステムの高レベル・ブロック図である。
【図３】無線端末に関連させるためにホーム・エージェントを識別するための方法論を例証する代表的なフローダイアグラムである。
【図４】識別されたホーム・エージェントに関して無線端末の登録を行なうための方法論を例証する代表的なフローダイアグラムである。
【図５】例示構成ダイアグラムである。
【図６】例示構成ダイアグラムである。
【図７】無線端末に関連させるためにホーム・エージェントを識別するためのシステムのブロック図である。
【図８】識別されたホーム・エージェントに関して無線端末の登録を行なうためのシステムのブロック図である。
【図９】無線通信装置を例示する。
【図１０】通信システムを例示する。
【図１１】末端ノードを例示する。
【図１２】アクセスノードを例示する。
【図１３】ＡＡＡサーバを例示する。
【図１】
2009533980.tif 000003
【図２】
2009533980.tif 000004
【図３】
2009533980.tif 000005
【図４】
2009533980.tif 000006
【図５】
2009533980.tif 000007
【図６】
2009533980.tif 000008
【図７】
2009533980.tif 000009
【図８】
2009533980.tif 000010
【図９】
2009533980.tif 000011
【図１０】
2009533980.tif 000012
【図１１】
2009533980.tif 000013
【図１２】
2009533980.tif 000014
【図１３】
2009533980.tif 000015
【国際調査報告】
2009533980.tif 000016
2009533980.tif 000017
2009533980.tif 000018
2009533980.tif 000019